【手続補正書】
【提出日】平成27年3月30日(2015.3.30)
【手続補正１】
【補正対象書類名】特許請求の範囲
【補正対象項目名】全文
【補正方法】変更
【補正の内容】
【特許請求の範囲】
【請求項１】
遊技媒体を循環させる循環経路を有し、遊技者所有の遊技用価値を用いて遊技が行なわれる封入式遊技機での遊技を可能にする遊技用装置を含む遊技用システムであって、
前記遊技用装置の正当性を認証するために用いる認証用情報が記憶された管理装置を含み、
前記遊技用装置は、
前記管理装置に記憶された前記認証用情報を受信できないときに、前記遊技用価値を用いた前記封入式遊技機での遊技を所定の制限の下で許容するための前記封入式遊技機との通信が可能な制限通信モードに設定する制限通信モード設定手段と、
前記管理装置より前記認証用情報を受信して該認証用情報を用いて前記遊技用装置の正当性が認証されたことを条件として、前記所定の制限が解除された前記封入式遊技機との通信が可能な通常通信モードに設定する通常通信モード設定手段と、
前記認証を行なった結果認証に失敗したときに所定条件下で前記制限通信モードでの通信を行なう制限通信制御手段とを含む、遊技用システム。
【請求項２】
遊技媒体を循環させる循環経路を有し、遊技者所有の遊技用価値を用いて遊技が行なわれる封入式遊技機での遊技を可能にする遊技用装置であって、
前記遊技用装置の正当性を認証するために用いる認証用情報を管理装置から受信する認証用情報受信手段と、
前記管理装置に記憶された前記認証用情報を受信できないときに、前記遊技用価値を用いた前記封入式遊技機での遊技を所定の制限の下で許容するための前記封入式遊技機との通信が可能な制限通信モードに設定する制限通信モード設定手段と、
前記管理装置より前記認証用情報を受信して該認証用情報を用いて前記遊技用装置の正当性が認証されたことを条件として、前記所定の制限が解除された前記封入式遊技機との通信が可能な通常通信モードに設定する通常通信モード設定手段と、
前記認証を行なった結果認証に失敗したときに所定条件下で前記制限通信モードでの通信を行なう制限通信制御手段とを含む、遊技用装置。
【請求項３】
遊技媒体を循環させる循環経路を有し、遊技者所有の遊技用価値を用いて遊技が行なわれる封入式遊技機での遊技を可能にする遊技用装置に設けられる
遊技制御装置であって、
前記遊技用装置の正当性を認証するために用いる認証用情報を受信する認証用情報受信手段と、
前記認証用情報を受信できないときに、前記遊技用価値を用いた前記封入式遊技機での遊技を所定の制限の下で許容するための前記封入式遊技機との通信が可能な制限通信モードに設定する制限通信モード設定手段と、
前記認証用情報を受信して該認証用情報を用いて前記遊技用装置の正当性が認証されたことを条件として、前記所定の制限が解除された前記封入式遊技機との通信が可能な通常通信モードに設定する通常通信モード設定手段と、
前記認証を行なった結果認証に失敗したときに所定条件下で前記制限通信モードでの通信を行なう制限通信制御手段とを含む、遊技制御装置。
【手続補正２】
【補正対象書類名】明細書
【補正対象項目名】発明の名称
【補正方法】変更
【補正の内容】
【発明の名称】遊技用システム、遊技用装置、および遊技制御装置
【手続補正３】
【補正対象書類名】明細書
【補正対象項目名】０００１
【補正方法】変更
【補正の内容】
【０００１】
本発明は、遊技媒体を循環させる循環経路を有し、遊技者所有の遊技用価値を用いて遊技が行なわれる封入式遊技機での遊技を可能にする遊技用装置を含む遊技用システム、前記遊技用装置、および前記遊技用装置に設けられる遊技制御装置に関する。
【手続補正４】
【補正対象書類名】明細書
【補正対象項目名】０００７
【補正方法】変更
【補正の内容】
【０００７】
（１）  本発明は、遊技媒体を循環させる循環経路を有し、遊技者所有の遊技用価値（たとえばカード残高、持玉数、あるいは貯玉数等）を用いて遊技が行なわれる封入式遊技機（Ｐ台、Ｓ台）での遊技を可能にする遊技用装置（ＣＵ）を含む遊技用システムであって、
前記遊技用装置の正当性を認証するために用いる第１認証用情報（基板認証鍵、更新情報）が記憶された管理装置（鍵管理サーバ８００）を含み、
前記遊技用装置は、
前記管理装置に記憶された前記第１認証用情報を受信できないときに、前記遊技用価値を用いた前記封入式遊技機での遊技を所定の制限の下で許容するための前記封入式遊技機との通信が可能な制限通信モード（基板初期鍵モード（基板初期鍵運用））に設定する制限通信モード設定手段（図１２０、図１３８、図１３９、図１４６）と、
前記管理装置より前記第１認証用情報を受信して該第１認証用情報を用いて前記遊技用装置の正当性が認証されたことを条件として、前記所定の制限が解除された前記封入式遊技機との通信が可能な通常通信モード（基板認証鍵モード（基板認証鍵運用））に設定する通常通信モード設定手段（図１２１、図１４１、図１４２、図１４６、図１４７）と、
前記認証を行なった結果認証に失敗したときに所定条件下（リセット操作）で前記制限通信モードでの通信を行なう制限通信制御手段（図１４６のＳ２０８）とを含む。
【手続補正５】
【補正対象書類名】明細書
【補正対象項目名】０００８
【補正方法】変更
【補正の内容】
【０００８】
このような構成によれば、遊技用装置の正当性が管理装置に記憶された第１認証用情報によって認証される前に通常通信モードとなって遊技用価値を用いた封入式遊技機での遊技が可能となることを防止できる。さらに、管理装置に記憶された第１認証用情報を受信できないときでも、制限通信モードとなり、遊技用価値を用いた封入式遊技機での遊技が許容されるため、柔軟な運用が可能となる。しかも、その場合には通常通信モードに比べて所定の制限の下で遊技が許容されるものとなるため、管理装置に記憶された第１認証用情報での認証が必要とされることなく運用が続けられてしまうことを防止できる。また、管理装置に記憶された第１認証用情報による遊技用装置の正当性の認証に失敗したとしても、所定条件下で制限通信モードとなり、遊技用価値を用いた封入式遊技機での遊技が許容されるため、より柔軟な運用が可能となる。
【手続補正６】
【補正対象書類名】明細書
【補正対象項目名】００１１
【補正方法】変更
【補正の内容】
【００１１】
（３）  上記（１）または（２）の遊技用システムにおいて、前記制限通信モード設定手段は、前記遊技用価値を用いた前記封入式遊技機での遊技が可能な期間を制限する（たとえば、２日）。
【手続補正７】
【補正対象書類名】明細書
【補正対象項目名】００１２
【補正方法】変更
【補正の内容】
【００１２】
このような構成によれば、管理装置に記憶された第１認証用情報での認証がなされることなく遊技用装置と封入式遊技機とが稼働し続けてしまうことを防止できる。
【手続補正８】
【補正対象書類名】明細書
【補正対象項目名】００１７
【補正方法】変更
【補正の内容】
【００１７】
（６）  上記（５）の遊技用システムにおいて、前記ローカル管理装置は、前記遊技用装置と前記封入式遊技機との通信を許可するための許可情報（図７２の有効鍵）を記憶しており、
前記通常通信モード設定手段は、前記許可情報を受信したことを条件として、前記通常通信モードに設定し（図７２；基板認証鍵を用いた恒久的運用は、ホールサーバに記憶された有効鍵をＣＵ制御部が受信し、ＳＣがその有効鍵を通信制御ＩＣに対して設定することにより実現される。）、
前記制限通信モード設定手段は、前記許可情報を受信したことを条件として、前記制限通信モードに設定する（図７２；基板初期鍵を用いた時限的運用は、ホールサーバに記憶された有効鍵をＣＵ制御部が受信し、ＳＣがその有効鍵を通信制御ＩＣに対して設定することにより実現される。）。
【手続補正９】
【補正対象書類名】明細書
【補正対象項目名】００１８
【補正方法】変更
【補正の内容】
【００１８】
このような構成によれば、ローカル管理装置から許可情報を受信することなく、通常通信モードおよび制限通信モードに設定されることがない。このため、遊技用価値を用いた封入式遊技機での遊技を許容するための遊技用装置と封入式遊技機との間での通信が、ローカル管理装置からの許可なく行なわれることを防止できる。
【手続補正１０】
【補正対象書類名】明細書
【補正対象項目名】００１９
【補正方法】変更
【補正の内容】
【００１９】
（７）  本発明の他の態様は、遊技媒体を循環させる循環経路を有し、遊技者所有の遊技用価値（たとえばカード残高、持玉数、あるいは貯玉数等）を用いて遊技が行なわれる封入式遊技機（Ｐ台、Ｓ台）での遊技を可能にする遊技用装置（ＣＵ）であって、
前記遊技用装置の正当性を認証するために用いる第１認証用情報（基板認証鍵、更新情報）を管理装置（鍵管理サーバ８００）から受信する第１認証用情報受信手段（ＣＵ制御部３２３；ＣＵ制御部３２３は、ホールサーバを介して鍵管理サーバより受信（図７２））と、
前記管理装置に記憶された前記第１認証用情報を受信できないときに、前記遊技用価値を用いた前記封入式遊技機での遊技を所定の制限（遊技を一定時間だけ可能にする）の下で許容するための前記封入式遊技機との通信が可能な制限通信モード（基板初期鍵モード（基板初期鍵運用））に設定する制限通信モード設定手段（図１２０、図１３８、図１３９、図１４６）と、
前記管理装置より前記第１認証用情報を受信して該第１認証用情報を用いて前記遊技用装置の正当性が認証されたことを条件として、前記所定の制限が解除された前記封入式遊技機との通信が可能な通常通信モード（基板認証鍵モード（基板認証鍵運用））に設定する通常通信モード設定手段（図１２１、図１４１、図１４２、図１４６、図１４７）と、
前記認証を行なった結果認証に失敗したときに所定条件下（リセット操作）で前記制限通信モードでの通信を行なう制限通信制御手段（図１４６のＳ２０８）とを含む。
【手続補正１１】
【補正対象書類名】明細書
【補正対象項目名】００２０
【補正方法】変更
【補正の内容】
【００２０】
このような構成によれば、遊技用装置の正当性が管理装置に記憶された第１認証用情報によって認証される前に通常通信モードとなって遊技用価値を用いた封入式遊技機での遊技が可能となることを防止できる。さらに、管理装置に記憶された第１認証用情報を受信できないときでも、制限通信モードとなり、遊技用価値を用いた封入式遊技機での遊技が許容されるため、柔軟な運用が可能となる。しかも、その場合には通常通信モードに比べて所定の制限の下で遊技が許容されるものとなるため、管理装置に記憶された第１認証用情報での認証が必要とされることなく運用が続けられてしまうことを防止できる。また、管理装置に記憶された第１認証用情報による遊技用装置の正当性の認証に失敗したとしても、所定条件下で制限通信モードとなり、遊技用価値を用いた封入式遊技機での遊技が許容されるため、より柔軟な運用が可能となる。
【手続補正１２】
【補正対象書類名】明細書
【補正対象項目名】００２３
【補正方法】変更
【補正の内容】
【００２３】
（９）  上記（７）の遊技用装置において、前記制限通信モード設定手段は、前記遊技用価値を用いた前記封入式遊技機での遊技が可能な期間を制限する（たとえば、２日）。
【手続補正１３】
【補正対象書類名】明細書
【補正対象項目名】００２４
【補正方法】変更
【補正の内容】
【００２４】
このような構成によれば、管理装置に記憶された第１認証用情報での認証がなされることなく遊技用装置と封入式遊技機とが稼働し続けてしまうことを防止できる。
【手続補正１４】
【補正対象書類名】明細書
【補正対象項目名】００２９
【補正方法】変更
【補正の内容】
【００２９】
（１２）  上記（１０）または（１１）の遊技用装置において、前記通常通信モード設定手段は、前記遊技用装置と前記封入式遊技機との通信を許可するための許可情報（図７２の有効鍵）を記憶して前記ローカル管理装置より前記許可情報を受信したことを条件として、前記通常通信モードに設定し（図７２；基板認証鍵を用いた恒久的運用は、ホールサーバに記憶された有効鍵をＣＵ制御部が受信し、ＳＣがその有効鍵を通信制御ＩＣに対して設定することにより実現される。）、
前記制限通信モード設定手段は、前記許可情報を受信したことを条件として、前記制限通信モードに設定する（図７２；基板初期鍵を用いた時限的運用は、ホールサーバに記憶された有効鍵をＣＵ制御部が受信し、ＳＣがその有効鍵を通信制御ＩＣに対して設定することにより実現される。）。
【手続補正１５】
【補正対象書類名】明細書
【補正対象項目名】００３０
【補正方法】変更
【補正の内容】
【００３０】
このような構成によれば、ローカル管理装置から許可情報を受信することなく、通常通信モードおよび制限通信モードに設定されることがない。このため、遊技用価値を用いた封入式遊技機での遊技を許容するための遊技用装置と封入式遊技機との間での通信が、ローカル管理装置からの許可なく行なわれることを防止できる。
（１３）  本発明の他の態様は、遊技媒体を循環させる循環経路を有し、遊技者所有の遊技用価値（たとえばカード残高、持玉数、あるいは貯玉数等）を用いて遊技が行なわれる封入式遊技機（Ｐ台、Ｓ台）での遊技を可能にする遊技用装置（ＣＵ）に設けられる遊技制御装置（セキュリティ基板）であって、
前記遊技用装置の正当性を認証するために用いる認証用情報（基板認証鍵、更新情報）を管理装置（鍵管理サーバ８００）から受信する認証用情報受信手段（ホールサーバおよびＣＵ制御部３２３を介して鍵管理サーバより受信（図７２））と、
前記認証用情報を受信できないときに、前記遊技用価値を用いた前記封入式遊技機での遊技を所定の制限（遊技を一定時間だけ可能にする）の下で許容するための前記封入式遊技機との通信が可能な制限通信モード（基板初期鍵モード（基板初期鍵運用））に設定する制限通信モード設定手段（図１２０、図１３８、図１３９、図１４６）と、
前記認証用情報を受信して該認証用情報を用いて前記遊技用装置の正当性が認証されたことを条件として、前記所定の制限が解除された前記封入式遊技機との通信が可能な通常通信モード（基板認証鍵モード（基板認証鍵運用））に設定する通常通信モード設定手段（図１２１、図１４１、図１４２、図１４６、図１４７）と、
前記認証を行なった結果認証に失敗したときに所定条件下（リセット操作）で前記制限通信モードでの通信を行なう制限通信制御手段（図１４６のＳ２０８）とを含む。
このような構成によれば、遊技用装置の正当性が管理装置に記憶された認証用情報によって認証される前に通常通信モードとなって遊技用価値を用いた封入式遊技機での遊技が可能となることを防止できる。さらに、管理装置に記憶された認証用情報を受信できないときでも、制限通信モードとなり、遊技用価値を用いた封入式遊技機での遊技が許容されるため、柔軟な運用が可能となる。しかも、その場合には通常通信モードに比べて所定の制限の下で遊技が許容されるものとなるため、管理装置に記憶された認証用情報での認証が必要とされることなく運用が続けられてしまうことを防止できる。また、管理装置に記憶された認証用情報による遊技用装置の正当性の認証に失敗したとしても、所定条件下で制限通信モードとなり、遊技用価値を用いた封入式遊技機での遊技が許容されるため、より柔軟な運用が可能となる。